(57)【要約】【課題】読み取られた多色の画像の色ズレを低減すること。【解決手段】受光素子が第２の方向に沿って一列に並べて配置された読取ユニット（Ｕ２ａ）と、各光源部材（３１〜３３）の発光を制御する光源制御手段（Ｃ１）であって、予め設定された時間間隔（ｔ１）で出力される基準信号に基づいて、第１の色（Ｒ）、第２の色（Ｇ）、第３の色（Ｂ）を順に繰り返し発光させると共に、第１の色（Ｒ）の発光は、第２の色（Ｇ）の発光開始時期（ｔｃ）に近づけ、且つ、第３の色（Ｂ）の発光は、第２の色（Ｇ）の発光終了時期（ｔｄ）に近づけるように制御する前記光源制御手段（Ｃ１）と、を備えた画像の読取装置（Ｕ２）。【選択図】図６
2015177406.tif 000002
【特許請求の範囲】
【請求項１】
画像が記録された原稿に向けて光を照射する光源部であって、第１の色の光を照射する第１の光源部材と、前記第１の色とは異なる第２の色の光を照射する第２の光源部材と、前記第１の色および第２の色とは異なる第３の色の光を照射する第３の光源部材と、を有する前記光源部と、
原稿に対して予め設定された第１の方向に沿って相対的に移動して、原稿を読み取る読取部であって、前記原稿から反射された光を受光する受光素子が前記第１の方向に交差する第２の方向に沿った光を受光するように、並べて配置された前記読取部と、
前記各光源部材の発光を制御する光源制御手段であって、予め設定された時間間隔で出力される基準信号に基づいて、前記第１の色、第２の色、第３の色を順に繰り返し発光させると共に、前記第１の色の発光は、前記第２の色の発光開始時期に近づけ、且つ、第３の色の発光は、前記第２の色の発光終了時期に近づけるように制御する前記光源制御手段と、
を備えたことを特徴とする画像の読取装置。
【請求項２】
前記第２の色の発光期間は前記第１の色および前記第３の色の各発光期間よりも長く設定することを特徴とする請求項１に記載の画像の読取装置。
【請求項３】
前記第１および前記第３の色の発光強度は、前記第２の色の発光強度よりも強くすることを特徴とする請求項２に記載の画像の読取装置。
【請求項４】
前記第１の色と前記第２の色との時間的なズレに基づいて、前記第２の色の位置における前記第１の色の補間処理を行うと共に、前記第３の色と前記第２の色との時間的なズレに基づいて、前記第２の色の位置における前記第３の色の補間処理を行う補間処理手段、
を備えたことを特徴とする請求項１ないし３のいずれかに記載の画像の読取装置。
【請求項５】
媒体から画像を読み取る請求項１ないし４のいずれかに記載の画像の読取装置と、
前記画像の読取装置に読み取られた画像に基づいて、媒体に画像を記録する画像の記録部と、
を備えたことを特徴とする画像形成装置。
【発明の詳細な説明】
【技術分野】
【０００１】
本発明は、画像の読取装置および画像形成装置に関する。
【背景技術】
【０００２】
従来から、画像の記録された媒体、いわゆる、原稿を読み取る画像の読取装置について、以下の特許文献１に記載の技術が知られている。
【０００３】
特許文献１としての特開２００６−３０４２００号公報には、コンタクトイメージセンサ（１０１）を原稿に沿って副走査方向に移動させる際に、１ライン毎に、赤（Ｒ）、緑（Ｇ）、青（Ｂ）の各色のＬＥＤ（１０２）を切り替えて点灯させて、各色の光を照射し、原稿からの反射光をモノクロイメージセンサ（１０４）で読み取る構成が記載されている。特許文献１に記載の構成では、Ｒ，Ｇ，Ｂの各ＬＥＤ（１０２）は、基準となるパルス信号がオンになると切り替わった次のＬＥＤが点灯され、プリスキャンを行ってＲ、Ｇ，Ｂの各色に設定されたデータを記憶する時間が経過すると消灯されるように構成されている。すなわち、点灯時期は共通であるが、点灯時間は異なる制御が行われている。
【先行技術文献】
【特許文献】
【０００４】
【特許文献１】特開２００６−３０４２００号公報（「０００５」、「００１１」、「００１６」、「００１９」、図５、図６）
【発明の概要】
【発明が解決しようとする課題】
【０００５】
本発明は、読み取られた各単色の画像の間での色ズレを低減することを技術的課題とする。
【課題を解決するための手段】
【０００６】
前記技術的課題を解決するために、請求項１に記載の発明の画像の読取装置は、
画像が記録された原稿に向けて光を照射する光源部であって、第１の色の光を照射する第１の光源部材と、前記第１の色とは異なる第２の色の光を照射する第２の光源部材と、前記第１の色および第２の色とは異なる第３の色の光を照射する第３の光源部材と、を有する前記光源部と、
原稿に対して予め設定された第１の方向に沿って相対的に移動して、原稿を読み取る読取部であって、前記原稿から反射された光を受光する受光素子が前記第１の方向に交差する第２の方向に沿った光を受光するように、並べて配置された前記読取部と、
前記各光源部材の発光を制御する光源制御手段であって、予め設定された時間間隔で出力される基準信号に基づいて、前記第１の色、第２の色、第３の色を順に繰り返し発光させると共に、前記第１の色の発光は、前記第２の色の発光開始時期に近づけ、且つ、第３の色の発光は、前記第２の色の発光終了時期に近づけるように制御する前記光源制御手段と、
を備えたことを特徴とする。
【０００７】
請求項２に記載の発明は、請求項１に記載の画像の読取装置において、
前記第２の色の発光期間は前記第１の色および前記第３の色の各発光期間よりも長く設定することを特徴とする。
【０００８】
請求項３に記載の発明は、請求項２に記載の画像の読取装置において、
前記第１および前記第３の色の発光強度は、前記第２の色の発光強度よりも強くすることを特徴とする。
【０００９】
請求項４に記載の発明は、請求項１ないし３のいずれかに記載の画像の読取装置において、
前記第１の色と前記第２の色との時間的なズレに基づいて、前記第２の色の位置における前記第１の色の補間処理を行うと共に、前記第３の色と前記第２の色との時間的なズレに基づいて、前記第２の色の位置における前記第３の色の補間処理を行う補間処理手段、
を備えたことを特徴とする。
【００１０】
前記技術的課題を解決するために、請求項５に記載の発明の画像形成装置は、
媒体から画像を読み取る請求項１ないし４のいずれかに記載の画像の読取装置と、
前記画像の読取装置に読み取られた画像に基づいて、媒体に画像を記録する画像の記録部と、
を備えたことを特徴とする。
【発明の効果】
【００１１】
請求項１，５に記載の発明によれば、同じ間隔で異なる単色を発光するよりも、異なる単色で読み取った画像から多色の画像を作成する際に、各単色の画像間での色のずれを抑制することができる。
請求項２に記載の発明によれば、位置的な補正を多くする色と少ない色とを同じ長さで発光する場合よりも、多色の画像を作成する際に、各単色間での色のずれを抑制する事ができる。
請求項３の発明によれば、発光長さを異ならせ且つ光の強度を異ならせない場合に比べて、各色間での出力を同じにすることができる。
請求項４に記載の発明によれば、補間処理を行わない場合に比べて、色ズレを低減することができる。
【図面の簡単な説明】
【００１２】
【図１】図１は実施例１の画像形成装置の全体説明図である。
【図２】図２は実施例１の画像の記録部の要部説明図である。
【図３】図３は実施例１の画像の読取装置と開閉部材の斜視図である。
【図４】図４は実施例１の画像の読取装置の説明図である。
【図５】図５は実施例１の光源部の要部説明図である。
【図６】図６は実施例１の光源制御のタイムチャートの説明図である。
【図７】図７は実施例１の読取画像の補正処理の説明図である。
【図８】図８は従来の画像の読取の説明図であり、図８Ａは従来の光制御のタイムチャート、図８Ｂは原稿画像の一例としての黒い線状の画像、図８Ｃは図８Ｂの原稿画像を読み取った場合の各光の説明図、図８Ｄは図８Ｂの原稿画像の読取画像の説明図、図８Ｅは従来の補間処理の第１の例の説明図、図８Ｆは従来の補間処理の第２の例の説明図である。
【図９】図９は実施例１の画像の読取の説明図であり、図８Ｃに対応する図である。
【発明を実施するための形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像の読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１５】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１６】
スキャナ部Ｕ２の上面には、透明な原稿台の一例としてのプラテンガラスＰＧが配置されている。実施例１のスキャナ部Ｕ２には、プラテンガラスＰＧの下方に、読取部の一例としての読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
【００１７】
図２は実施例１の画像の記録部の要部説明図である。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
実施例１の露光装置ＲＯＳは、書込光の一例としてのＹ，Ｍ，Ｃ，Ｋの各色に対応したレーザービームＬｙ，Ｌｍ，Ｌｃ，Ｌｋを出力可能に構成されている。露光装置ＲＯＳは、書込回路ＤＬから入力された信号に応じたレーザービームＬｙ〜Ｌｋを出力可能に構成されている。
図１において、露光装置ＲＯＳの上方には、像保持体の一例としての感光体ＰＲｙ，ＰＲｍ，ＰＲｃ，ＰＲｋが配置されている。図１、図２において、各感光体ＰＲｙ〜ＰＲｋにレーザービームＬｙ〜Ｌｋが照射される領域により、書込領域Ｑ１ｙ，Ｑ１ｍ，Ｑ１ｃ，Ｑ１ｋが構成されている。
【００１８】
各感光体ＰＲｙ，ＰＲｍ，ＰＲｃ，ＰＲｋの回転方向に対して、書込領域Ｑ１ｙ〜Ｑ１ｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００１９】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２０】
前記Ｙ色の感光体ＰＲｙ、帯電ロールＣＲｙ、Ｙ色のレーザービームＬｙを出力する露光装置ＲＯＳ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＲＯＳ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２１】
前記感光体ＰＲｙ〜ＰＲｋの上方には、中間転写装置の一例としてのベルトモジュールＢＭが配置されている。ベルトモジュールＢＭは、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２２】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２３】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の右上方には、取出部材の一例としてのピックアップロールＲｐが配置されている。記録シートＳの搬送方向に対して、ピックアップロールＲｐの下流側には、捌き部材の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２４】
給紙路ＳＨ１には、２次転写領域Ｑ４の上流側に、搬送時期の調節部材の一例としてのレジロールＲｒが配置されている。
シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２５】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。
【００２６】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｙ〜Ｌｋを出力する。
【００２７】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００２８】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００２９】
画像が記録されるシートＳは、使用される給紙トレイＴＲ１〜ＴＲ３のピックアップロールＲｐにより、取り出される。ピックアップロールＲｐで取り出されたシートＳは、複数枚のシートＳが重ねて取り出された場合、捌きロールＲｓにより１枚ずつに分離される。捌きロールＲｓで分離されたシートＳは、搬送ロールＲａにより給紙路ＳＨ１を搬送される。給紙路ＳＨ１を搬送されたシートＳは、レジロールＲｒに送られる。
レジロールＲｒは、中間転写ベルトＢに形成されたトナー像が２次転写領域Ｑ４に搬送される時期を合わせて、シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢからシートＳに転写される。
【００３０】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送されたシートＳは、排紙ロールＲｈにより排紙トレイＴＲｈに排出される。
【００３１】
（画像の読取装置の説明）
図３は実施例１の画像の読取装置と開閉部材の斜視図である。
図３において、画像の読取装置の一例としてのスキャナ部Ｕ２は、筐体の一例としてのケース１を有する。前記ケース１の上面には、開口の一例としてのガラスの支持口１ａが形成されている。前記ガラスの支持口１ａは左右方向に長い長方形状に形成されている。前記ガラスの支持口１ａの左部には、前後方向に延びる板状の仕切り部２が形成されている。前記仕切り部２は、ガラスの支持口１を、右側の手動の読取口１ａ１と、左端側の自動の読取口１ａ２と、に仕切っている。よって、各読取口１ａ１,１ａ２は、長方形状に構成されている。
【００３２】
図４は実施例１の画像の読取装置の説明図である。
図３、図４において、手動の読取口１ａ１には、第１の原稿台の一例としての読取ガラス３が支持されている。実施例１の読取ガラス３は、透明な平板状のガラスで形成されている。前記読取ガラス３には、画像の記録された媒体、いわゆる、原稿Ｇｉが支持される。なお、前記読取ガラス３は、予め設定された読取可能な最大の原稿の大きさに基づいて形成されている。実施例１では、読取可能な最大の原稿の大きさ、すなわち、読取可能な最大の原稿のサイズは、一例として、規格化されたサイズのＡ３が設定されている。すなわち、実施例１の読取ガラス３は、左右方向がＡ３サイズの長辺に対応し、且つ、前後方向がＡ３サイズの短辺に対応する大きさに形成されている。
【００３３】
前記読取ガラス３の後方には、左右方向に延びる板状の後側の揃え部４が支持されている。前記後側の揃え部４は読取ガラス３の後端に沿って配置されている。前記後側の揃え部４は、読取ガラス３の上面に対して上方に段差を有する状態で配置されている。よって、後側の揃え部４には、原稿Ｇｉの後端の縁を接触させて、原稿Ｇｉの後端の位置を揃えることが可能になっている。また、前記読取ガラス３の左方、すなわち、仕切り部２の右部には、前後方向に延びる板状の左側の揃え部６が支持されている。前記左側の揃え部６は、読取ガラス３の左端に沿って配置されている。前記左側の揃え部６は、読取ガラス３の上面に対して上方に段差を有する板状に形成されている。よって、左側の揃え部６には、原稿Ｇｉの左端の縁を接触させて、原稿Ｇｉの左端の位置を揃えることが可能になっている。
【００３４】
図３、図４において、前記自動の読取口１ａ２には、第２の原稿台の一例としての読取ガラス１１が支持されている。実施例１の読取ガラス１１は、透明な平板状のガラスで形成されている。なお、前記読取ガラス１１の前後方向の長さは、予め設定された読取可能な最大の原稿の大きさに基づいて形成されている。実施例１では、前記読取ガラス１１の前後方向の長さは、Ａ３サイズの短辺の長さに対応して形成されている。前記読取ガラス３と前記読取ガラス１１とにより、実施例１の支持面の一例としてのプラテンガラスＰＧが構成されている。
前記読取ガラス１１の右方、すなわち、仕切り部２の左部には、原稿の案内部材の一例として、前後方向に延びる原稿のガイド１２が支持されている。前記原稿のガイド１２は、左端の高さが読取ガラス１１の上面よりも低く設定され且つ右側に進むに連れて上方に傾斜する形状に形成されている。
【００３５】
図１、図４において、プラテンガラスＰＧの下方には、読取ユニットＵ２ａが配置されている。
前記読取ユニットＵ２ａは、読取部材の一例としてのＣＩＳ（Contact Image Sensor）ユニット２１と、ＣＩＳユニット２１を支持する移動部の一例としてのキャリッジ２２とを有する。
ＣＩＳユニット２１は、第２の方向の一例としての主走査方向に延びている。なお、実施例１では、主走査方向は、前後方向に対応している。ＣＩＳユニット２１は、内部に、光源部の一例としてのランプ２１ａが支持されている。ランプ２１ａは、読取ガラス３の上面の原稿Ｇｉに向けて読み取り用の光、いわゆる照明光を照射する。
【００３６】
ＣＩＳユニット２１の内部には、原稿Ｇｉで反射された照明光を受光して画像を読み取る受光部２１ｂが支持されている。受光部２１ｂで受光した光は、基板２１ｃで電気信号に処理されて画像処理部ＧＳに送られる。なお、ＣＩＳに関しては、従来公知であり、例えば、特開２００７−１３３０９号公報や特開２０１２−１５１５６８号公報に記載されているような種々の構成を採用可能である。
実施例１のＣＩＳユニット２１は、前後両端に、上方に突出する接触部２１ｄが４カ所設けられている。接触部２１ｄは、上面が弧状に形成されており、接触部２１ｄが読取ガラス３の下面に接触しながら移動する場合でも、摩擦抵抗が少なくなるように構成されている。
【００３７】
ＣＩＳユニット２１は、キャリッジ２２に対して上下方向に移動可能に支持されており、ＣＩＳユニット２１は、押し付け部材の一例としてのバネ２４で上方に付勢されている。したがって、バネ２４で押されたＣＩＳユニット２１は、接触部２１ｄが読取ガラス３の下面に押し当てられた状態で保持される。すなわち、ＣＩＳユニット２１のランプ２１ａや受光部２１ｂと、読取ガラス３の上面の原稿Ｇｉとの距離が、予め設定された間隔に保持される。
実施例１のキャリッジ２２は、図示しないユニットの案内部材の一例としてのガイドシャフトにより第１の方向の一例としての副走査方向に移動可能に支持されている。また、キャリッジ２２には、図示しないユニットの移動部材の一例としてのベルトが接続されており、ベルトの正逆回転により副走査方向に移動される。よって、実施例１の読取ユニットＵ２ａは、プラテンガラスＰＧの下方に配置された複数のセンサの検知信号に基づいて、移動する。オートフィーダＵ３で搬送される原稿Ｇｉを読み取る場合は、図１の実線で示す位置に読取ユニットＵ２ａが移動し、読取ガラス３の上面に支持された原稿Ｇｉを読み取る場合は、図１の破線で示す読取開始位置から右方に読取ユニットＵ２ａが移動する。
【００３８】
図５は実施例１の光源部の要部説明図である。
実施例１のランプ２１ａは、第１の光源部材の一例としての赤色ＬＥＤ３１と、第２の光源部材の一例としての緑色ＬＥＤ３２と、第３の光源部材の一例としての青色ＬＥＤ３３と、を有する。赤色ＬＥＤ３１は、第１の色の光の一例としての赤色光を照射する。緑色ＬＥＤ３２は、第２の色の光の一例としての緑色光を照射する。青色ＬＥＤ３３は、第３の色の光の一例としての青色光を照射する。各ＬＥＤ３１〜３３から照射された光は、光導体の一例としてのライドガイド３４を介して、主走査方向に沿ってライン状に原稿Ｇｉに照射される。
原稿Ｇｉからの反射光は、レンズ３６を介して、受光部２１ｂで受光される。実施例１の受光部２１ｂは、受光素子が主走査方向に１列に並んで配置された１ラインセンサにより構成されている。
【００３９】
図６は実施例１の光源制御のタイムチャートの説明図である。
図５において、各ＬＥＤ３１〜３３には、それぞれ駆動回路４１，４２，４３が接続されている。各駆動回路４１〜４３は、制御部Ｃの光源制御手段Ｃ１により制御される。光源制御手段Ｃ１は、基準信号生成手段の一例としての基準パルス生成手段Ｃ１ａと、第１の光制御手段Ｃ１ｂと、第２の光制御手段Ｃ１ｃと、第３の光制御手段Ｃ１ｄと、を有する。前記光源制御手段Ｃ１は、各ＬＥＤ３１〜３３の発光を制御する。実施例１の光源制御手段Ｃ１は、基準信号の一例としてのパルス信号に基づいて、赤色ＬＥＤ３１、緑色ＬＥＤ３２、青色ＬＥＤ３３を順に繰り返し発光させる。
基準パルス生成手段Ｃ１ａは、基準信号の一例としての基準パルスを生成させる。図６において、実施例１の基準パルス生成手段Ｃ１ａは、予め設定された時間間隔ｔ１をあけて基準信号の一例としてのパルス信号４６を生成する。
【００４０】
第１の光制御手段Ｃ１ｂは、駆動回路４１を介して赤色ＬＥＤ３１を制御して、赤色光の照射を制御する。実施例１の第１の光制御手段Ｃ１ｂは、赤色光を照射する場合、すなわち、前回青色光が照射された後にパルス信号が生成されると、パルス信号から予め設定された第１の待機時間ｔａが経過した後の発光開始時期Ｔ１に、赤色ＬＥＤ３１を制御して、赤色光を照射する。なお、第１の待機時間ｔａは、赤色光の照射期間が、次の緑色光の照射期間に、できるだけ近づけるように、パルスの間隔ｔ１と、赤色光の照射期間ｔｂに基づいて、できるだけ大きな値が設定されている。また、実施例１の第１の光制御手段Ｃ１ｂは、従来に比べて、単位時間当たりの発光量、発光強度を増大させると共に、照射期間ｔｂを短くしている。一例として、従来、光量に関係するＬＥＤの電流値が３００ｍＡで、５０μｓの期間照射していたのに対して、実施例１では、５００ｍＡ、３０μｓに設定されている。したがって、実施例１では、受光部２１ｂで受光する総光量（＝電流値×期間）は、従来と同様となるように設定されている。
【００４１】
第２の光制御手段Ｃ１ｃは、駆動回路４２を介して緑色ＬＥＤ３２を制御して、緑色光の照射を制御する。実施例１の第２の光制御手段Ｃ１ｃは、緑色光を照射する場合、すなわち、前回赤色光が照射された後にパルス信号が生成されると、パルス信号から予め設定された第２の待機時間ｔｃが経過した後の発光開始時期Ｔ３に、緑色ＬＥＤ３２を制御して、緑色光を照射する。なお、第２の待機時間ｔｃは、緑色光の照射期間が、前の赤色光の照射期間ｔｂに、できるだけ近づけるように、できるだけ小さな値が設定されている。また、実施例１の第２の光制御手段Ｃ１ｃは、前の赤色光や次の青色光の照射期間に近づけるために、照射期間ｔｄができるだけ長く設定されている。そして、実施例１の第２の光制御手段Ｃ１ｃでは、照射期間ｔｄが長くなることに応じて、受光部２１ｂでの総受光量が、受光部２１ｂの性能上の容量を超えないようにするために、照射時の光量、すなわち、ＬＥＤ３２へ供給される電流値が、従来に比べて、減少されている。
【００４２】
一例として、実施例１では、電流値が１００ｍＡ、照射期間ｔｄが１５０μｓに設定されている。したがって、実施例１では、受光部２１ｂで受光する総光量（＝電流値×期間）は、赤色光や従来の構成と同様となるように設定されている。なお、照射期間ｔｄは、緑色光の期間の中心が、赤色光と青色光の中央となるように設定されている。すなわち、実施例１では、緑色光が照射される期間ｔｄが、赤色光側または青色光側のどちらかに偏らないように設定されている。よって、実施例１では、赤色光の発光終了時期Ｔ２から緑色光の発光開始時期Ｔ３までの時間と、緑色光の発光終了時期Ｔ４から青色光の発光開始時期Ｔ５までの時間とが一致するように設定されている。
【００４３】
第３の光制御手段Ｃ１ｄは、駆動回路４３を介して青色ＬＥＤ３３を制御して、青色光の照射を制御する。実施例１の第３の光制御手段Ｃ１ｄは、青色光を照射する場合、すなわち、前回緑色光が照射された後にパルス信号が生成されると、パルス信号から予め設定された第３の待機時間ｔｅが経過した後の発光開始時期Ｔ５に、青色ＬＥＤ３３を制御して、青色光を照射する。なお、第３の待機時間ｔｅは、青色光の照射開始時期Ｔ５が、前の緑色光の照射終了時期Ｔ４に、できるだけ近づけるように、できるだけ小さな値が設定されている。また、実施例１の第３の光制御手段Ｃ１ｄは、赤色光の場合と同様に、従来に比べて、光量を増大させると共に、照射期間ｔｆを短くしている。実施例１では、一例として、赤色光と同様に、青色光も、電流値が５００ｍＡ、照射期間ｔｆが３０μｓに設定されている。
【００４４】
図７は実施例１の読取画像の補正処理の説明図である。
読取手段Ｃ２は、補間処理手段Ｃ２ａを有し、受光部２１ｂの受光結果に基づいて、原稿Ｇｉの画像を読み取る。実施例１の読取手段Ｃ２の補間処理手段Ｃ２ａは、読み取られたＲ，Ｇ，Ｂの各画像に基づいて、読み取られた位置のずれを補間する処理に相当する補正処理を行う。図７において、実施例１では、一例として、Ｒ：赤色、Ｂ：青色の画像については、Ｇ：緑色の画像の位置に対して、読み取った画像の８０％を割付、Ｒ，Ｂの画像を読み取った位置に２０％を割り付ける処理を行う。なお、緑色の画像については、この処理を行わない。
【００４５】
（実施例１の画像の読取装置の機能）
前記構成を備えた実施例１のスキャナ部Ｕ２では、原稿Ｇｉの画像が読み取られる場合には、原稿Ｇｉが読取ユニットＵ２ａに対して、副走査方向に相対的に移動しながら、画像が読み取られる。このとき、原稿Ｇｉの主走査方向の１列、１ラインに対して、Ｒ，Ｇ，Ｂの光が順に照射されて、１ライン分の画像が読み取られる。
【００４６】
図８は従来の画像の読取の説明図であり、図８Ａは従来の光制御のタイムチャート、図８Ｂは原稿画像の一例としての黒い線状の画像、図８Ｃは図８Ｂの原稿画像を読み取った場合の各光の説明図、図８Ｄは図８Ｂの原稿画像の読取画像の説明図、図８Ｅは従来の補間処理の第１の例の説明図、図８Ｆは従来の補間処理の第２の例の説明図である。
従来の画像の読取装置では、白色光を照射して、Ｒ，Ｇ，Ｂの３ライン分の受光素子、いわゆる３ラインセンサを使用して画像を読み取る構成も存在する。しかしながら、センサの構成が高いため、低コスト化のために１ラインセンサを使用することも行われている。従来の１ラインセンサを使用する場合には、図８に示すように、パルス信号を基準として、Ｒ，Ｇ，Ｂの光を同じタイミングで照射していた。
【００４７】
このような構成では、図８Ｂに示すような黒色の線を読み取る場合に、図８Ｃに示すように、Ｒ，Ｇ，Ｂの読取信号の位置ズレが存在する。よって、これらが合成されると、図８Ｄに示すように、フルカラーの読取画像には、黒の線の副走査方向の両側に赤と青の細い筋が発生し、いわゆる色ズレが発生する。これを低減するために、Ｒ，Ｇ，Ｂの読取画像が合成される前に、補正処理を行うことがある。
なお、色のずれには、色の位置的なずれや、色のボケ具合のずれなど、がある。ここで、例えば、色の位置的なずれを抑制するために、補正をすることが考えられるが、元々の位置ずれ量が多い場合には、その位置のずれの影響を抑制するために、前後の画素の寄与率を上げることが考えられる。その場合は、各色間で、前後の画素の寄与率を変える必要があるため、色のボケ具合のずれが発生してしまう。またこのボケ具合が異なる事でも、新たな色ずれが発生する場合もある。以下に、具体的に説明する。
【００４８】
図８Ｅにおいて、Ｒの読取値は、Ｇの読取が行われている位置では、存在しないため、読取が行われていないＧの位置に、Ｒの読取値を割り付ける処理、いわゆる補間処理が行われることがある。このとき、従来の構成では、Ｒの中心の位置０１とＧの中心の位置０２が離れているため、Ｒの読取値の全てをＧの位置に割り付けると、Ｒの位置の画像が存在した場合に、却って位置ズレが発生してしまうため、一部はＲの位置０１に割り付ける必要がある。よって、結果として、Ｇの位置０２に割り付けられる割合が減ってしまい、解像力が減ってしまう（色がぼけてしまう）。特に、Ｇの読取値との間で解像力の差（色のボケ具合のズレ）が大きくなってしまう。Ｂに関しても、Ｇの読取値との間で解像力の差が大きくなる問題がある。
【００４９】
図８Ｅに示す補正処理では、ＲとＢの画像をＧに合わせるために、結果として、ＲとＢの画像がボケてしまい、Ｇのみボケていない状態となる。この状態では、やはり、図８Ｄに示すようなエッジ部の色付きが発生する。これに対して、図８Ｆに示すように、Ｇの画像もＲとＢに合わせてぼかすために、Ｇの読取値もＲ，Ｂの位置０１，０３に割り付ける処理も考えられる。しかしながら、図８Ｆに示す処理では、解像力の差は減るが、Ｇの解像力も低下しており、全体の解像力が低下してしまう（全体として色がぼけてしまう）問題がある。
特許文献１に記載の技術のように、Ｒ，Ｇ，Ｂの色毎に、照射期間を変更する構成ではＲ，Ｇ，Ｂの中心位置０１〜０３が、図８Ａに示す場合よりも近づく。しかしながら、パルス信号に対して、ＬＥＤが照射を開始する時期は固定であり、近づけられる程度には限界がある。
【００５０】
図９は実施例１の画像の読取の説明図であり、図８Ｃに対応する図である。
これらに対して、実施例１では、Ｒ，Ｇ，Ｂの順で発光する場合に、パルス信号に対して、Ｒ色、Ｂ色が発光を開始する時期が、Ｇ色に、できるだけ近づけられている。よって、Ｒ色，Ｂ色の読取の中心５１，５３が、Ｇ色の読取の中心５２に近づいている。また、実施例１では、Ｒ色、Ｂ色の発光量も、Ｇ色に対して大きくなっている。よって、発光量が従来と同一の場合に比べて、さらに、Ｇ色に近づけることが可能になっている。したがって、実施例１では、従来に比べて、Ｒ，Ｇ，Ｂの色ズレが少なくなり、読取画像の画質の低下を低減することができる。
特に、例えば、通常６００ｄｐｉで読み取る設定が２００ｄｐｉに変更される場合のように、１ラインの読取周期が長くなる場合、従来のＲ，Ｇ，Ｂの間隔が長い構成では、色ズレ量が拡大する恐れがある。これに対して、実施例１では、Ｒ，Ｇ，Ｂの間隔が従来に比べて狭く、色ズレ量を抑制可能である。
【００５１】
また、実施例１では、Ｒ色，Ｇ色，Ｂ色の読取の中心位置５１〜５３が近づいており、Ｒ色，Ｂ色について補間処理を行う場合に、図７に示すように、従来に比べて、多くの割合を割り付けることが可能になる。よって、Ｒ色，Ｇ色，Ｂ色の解像力の差を少なくすることができる。また、全体としての解像力も、従来に比べて、向上させることが可能である。
さらに、実施例１では、Ｇ色の発光強度が、Ｒ色、Ｂ色の発光強度よりも弱く設定されている。よって、図９に示すＧ色の発光強度の分布の形状は、Ｒ色やＢ色の強度分布の形状に比べて、山がなだらかな形状となる。Ｒ色、Ｂ色について、補間処理後は、強度分布の形状は、山がなだらかになり、結果としてＧ色の強度分布の形状とほぼ同じ形状なる。よって、Ｇ色の発光強度がＲ色、Ｂ色よりも弱くない場合に比べて、色ずれが抑制される。
【００５２】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記実施例において、画像形成装置の一例としての複写機Ｕを例示したが、これに限定されず、ＦＡＸ、あるいは、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。また、前記実施例において、画像の読取装置の一例としてスキャナ部Ｕ２を例示し、複写機Ｕに備えられた構成を例示したが、これに限定されず、本願発明は、スキャナ単体の構成にも適用可能である。
【００５３】
（Ｈ02）前記実施例において、Ｒ，Ｇ，Ｂの色の照射順は、Ｒ，Ｇ，Ｂの順に限定されず、任意の順番に変更可能である。
（Ｈ03）前記実施例において、Ｒ，Ｂの発光量を大きくし、Ｇの発光量を小さくする構成とすることが望ましいが、これに限定されない。Ｒ，Ｂの発光量を、従来と同様にしたり、Ｇと同様にすることも可能である。また、Ｇの発光量も従来と同様にすることも可能である。
（Ｈ04）前記実施例において、Ｒ，Ｂの発光期間ｔｂ，ｔｆは、同一にすることが望ましいが、ＬＥＤの発光開始までのタイムラグや発光が安定する間での時間等の特性や個体差等に応じて、変更することも可能である。Ｇの発光期間ｔｄについても同様である。また、Ｒ，Ｂの発光期間ｔｂ，ｔｆは、Ｇの発光期間ｔｄよりも短く設定することが望ましいが、同一にすることも可能である。
【００５４】
（Ｈ05）前記実施例において、補間処理については、実施例に例示した処理に限定されず、設計や仕様、要求される画質等に応じて、任意に変更可能である。また、補間処理を行うことが望ましいが、行わない構成とすることも可能である。
【符号の説明】
【００５５】
２１ａ…光源部、
３１…第１の光源部材、
３２…第２の光源部材、
３３…第３の光源部材、
４６…基準信号、
Ｂ…第３の色、
Ｇ…第２の色、
Ｇｉ…原稿、
ｔ１…時間間隔、
Ｔ３…第２の色の発光開始時期、
Ｔ４…第２の色の発光終了時期、
ｔｂ…第１の色の発光期間、
ｔｄ…第２の色の発光期間、
ｔｆ…第３の色の発光期間、
Ｃ１…光源制御手段、
Ｃ２ａ…補間処理手段、
Ｒ…第１の色、
Ｓ…媒体、
Ｕ…画像形成装置、
Ｕ２…画像の読取装置、
Ｕ２ａ…読取部、
Ｕｙ〜Ｕｋ＋Ｔ１＋Ｔ２＋Ｂ…画像の記録部。
【図１】
2015177406.tif 000003
【図２】
2015177406.tif 000004
【図３】
2015177406.tif 000005
【図４】
2015177406.tif 000006
【図５】
2015177406.tif 000007
【図６】
2015177406.tif 000008
【図７】
2015177406.tif 000009
【図８】
2015177406.tif 000010
【図９】
2015177406.tif 000011